【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
サーバと少なくとも２つの受信機との間の伝送データレートを制御するためのコントローラにおける方法であって、前記サーバ、前記コントローラおよび前記少なくとも２つの受信機はネットワークに接続され、前記サーバは、視聴覚コンテンツを表すデータを送信するように適応され、前記視聴覚コンテンツは、前記サーバから少なくとも２つのバージョンで入手可能であり、前記バージョンはそれぞれ、異なる伝送ビットレートに対応し、前記サーバは、前記視聴覚コンテンツを連続した部分で送信するように適応され、前記連続した部分はそれぞれ、前記少なくとも２つの受信機によって送られた送信要求に応答して少なくとも２つのバージョンのうちの１つとして選択され、前記送信要求は、送信パラメータを備え、前記方法は、コントローラにおいて、
第１の受信機から第１の監視情報を反復して受信するステップであって、前記第１の監視情報は、視聴覚コンテンツの前記第１の受信機によるレンダリングの品質レベルを表す、ステップと、
第２の受信機から第２の監視情報を反復して受信するステップであって、前記第２の監視情報は、視聴覚コンテンツの前記第２の受信機によるレンダリングの品質レベルを表す、ステップと、
前記コントローラから前記受信機のうちの少なくとも１つに制御パラメータを送信するステップであって、前記制御パラメータは、前記受信機のうちの少なくとも１つにおいて、前記制御パラメータから前記送信要求のうちの少なくとも１つの送信要求の前記送信パラメータ、または前記受信機のうちの少なくとも１つの受信機の受信パラメータを定義するために、前記第１の監視情報および前記第２の監視情報に依存する、ステップと、
を備える、前記方法。
【請求項２】
前記第１の監視情報および前記第２の監視情報のそれぞれは、
前記サーバと前記少なくとも２つの受信機のうちの１つとの間のデータ伝送ビットレートと、
前記少なくとも２つの受信機のうちの１つの受信機のデータの受信バッファのサイズと、
前記少なくとも２つの受信機のうちの１つによる前記視聴覚コンテンツのレンダリングの品質指標と、
所与の時間間隔の間に前記少なくとも２つの受信機のうちの１つが前記バージョンのうちの１つから前記バージョンのうちの別の１つに切り換わる回数と、
事前定義された時間間隔の間に前記少なくとも２つの受信機のうちの１つによって受信されたバイト数と、
前記視聴覚コンテンツの前記少なくとも２つのバージョンのそれぞれについて、事前定義された時間範囲の間に前記少なくとも２つの受信機のうちの１つによって受信されたバイト数と、
を備えるパラメータグループに属する、請求項１に記載の方法。
【請求項３】
前記制御パラメータは、
前記少なくとも２つの受信機のうちの１つによって前記サーバに要求されるビットレートの最大値と、
前記少なくとも２つの受信機のうちの１つによって前記サーバに要求される前記バージョンのうちの許容されたバージョンのリストと、
前記少なくとも２つの受信機のうちの１つの受信機の受信バッファの最大サイズと、
前記少なくとも２つの受信機のうちの１つによって送られた前記送信要求内で前記サーバに示される最高速度係数と、
前記少なくとも２つの受信機のいずれかの受信機の適応ストリーミングアルゴリズムのパラメータと、
を備えるパラメータグループに属する、請求項１または２に記載の方法。
【請求項４】
データを受信するための装置であって、前記データは視聴覚コンテンツを表し、前記視聴覚コンテンツは、異なる伝送ビットレートにそれぞれ対応する少なくとも２つのバージョンで入手可能であり、前記視聴覚コンテンツの送信は連続した部分で実行され、前記連続した部分はそれぞれ、前記少なくとも２つの受信機によって送られた送信要求に応答して、少なくとも２つのバージョンのうちの１つとして選択され、前記送信要求は送信パラメータを備え、前記装置は、
視聴覚コンテンツの前記装置によるレンダリングの品質を表す監視情報を送るための通信インターフェースと、
制御パラメータを受信するための通信インターフェースであって、前記制御パラメータは、視聴覚コンテンツの前記装置によるレンダリングの品質を表す前記監視情報に依存する、通信インターフェースと、
前記受信された制御パラメータから、前記送信要求の前記送信パラメータを計算するためのコンピューティングモジュールと、
を備える、前記装置。
【請求項５】
前記受信された制御パラメータ、および視聴覚コンテンツのレンダリングの品質を表す前記監視情報を格納するためのメモリを備える、請求項４に記載の装置。
【請求項６】
ラップトップ機器である、請求項４または５に記載の装置。
【請求項７】
セットトップボックスである、請求項４または５に記載の装置。
【請求項８】
モバイル端末である、請求項４または５に記載の装置。
【請求項９】
ネットワークに接続されたサーバと、前記ネットワークに接続された少なくとも２つの受信機との間のデータの伝送レートを制御するための装置であって、前記データは視聴覚コンテンツを表し、前記視聴覚コンテンツは前記サーバから少なくとも２つのバージョンで入手可能であり、前記バージョンはそれぞれ、異なる伝送ビットレートに対応し、前記サーバは、前記視聴覚コンテンツを連続した部分で送信するように適応され、前記連続した部分はそれぞれ、前記少なくとも２つの受信機によって送られた送信要求に応答して、少なくとも２つのバージョンのうちの１つとして選ばれ、前記送信要求は送信パラメータを備え、前記装置は、
第１の受信機から、視聴覚コンテンツの前記第１の受信機によるレンダリングの品質を表す第１の監視情報を反復して受信するための通信インターフェースと、
第２の受信機から、視聴覚コンテンツの前記第２の受信機によるレンダリングの品質を表す第２の監視情報を反復して受信するための通信インターフェースと、
少なくとも前記反復して受信された第１の監視情報および前記反復して受信された第２の監視情報から制御パラメータを計算するためのコンピューティングモジュールと、
前記受信機のうちの少なくとも１つに前記制御パラメータを送信するための通信インターフェースと、
を備える、前記装置。
【請求項１０】
住宅用ゲートウェイ機器内に置かれる、請求項９に記載の装置。
【請求項１１】
デジタル加入者線アクセス多重化機器内に置かれる、請求項９に記載の装置。
【請求項１２】
サーバからデータを受信するための受信機における方法であって、前記データは視聴覚コンテンツを表し、前記視聴覚コンテンツは、前記サーバから少なくとも２つのバージョンで入手可能であり、前記バージョンはそれぞれ、異なる伝送ビットレートに対応し、前記サーバは、前記視聴覚コンテンツを連続した部分で送信するように適応され、前記連続した部分はそれぞれ、前記少なくとも２つの受信機によって送られた送信要求に応答して少なくとも２つのバージョンのうちの１つとして選択され、前記送信要求は送信パラメータを備え、前記方法は、
前記視聴覚コンテンツの前記受信機によるレンダリングの品質を表す監視情報をリモートコントローラに送信するステップと、
前記リモートコントローラから制御パラメータを受信するステップであって、前記制御パラメータは、前記視聴覚コンテンツの前記受信機によるレンダリングの品質を表す前記監視情報に依存する、ステップと、
少なくとも前記制御パラメータから定義された前記送信パラメータを備える要求を前記サーバに送信するステップと、
を備える、前記方法。
【請求項１３】
制御パラメータを受信する前記ステップは、前記受信機の少なくとも１つの受信パラメータを更新するステップをさらに備える、請求項１２に記載の方法。
【手続補正２】
【補正対象書類名】明細書
【補正対象項目名】００９６
【補正方法】変更
【補正の内容】
【００９６】
特許請求の範囲に現れる参照符号は、例示するためのものにすぎず、特許請求の範囲を制限する効果はないものとする。
本発明は以下の態様を含む。
（付記１）
サーバ（１）と少なくとも２つの受信機（４、６、８）との間の伝送データレートを制御するためのコントローラ（２）における方法であって、前記サーバ（１）、前記コントローラ（２）および前記少なくとも２つの受信機（４、６、８）はネットワーク（３）に接続され、前記サーバ（１）は、視聴覚コンテンツを表すデータを送信するように適応され、前記視聴覚コンテンツは、前記サーバ（１）から少なくとも２つのバージョンで入手可能であり、前記バージョンはそれぞれ、異なる伝送ビットレートに対応し、前記サーバ（１）は、前記視聴覚コンテンツを連続した部分で送信するように適応され、前記連続した部分はそれぞれ、前記少なくとも２つの受信機（４、６、８）によって送られた送信要求に応答して少なくとも２つのバージョンのうちの１つとして選択され、前記送信要求は、送信パラメータを備え、前記方法は、コントローラ（２）において、
第１の受信機（４、６、８）から第１の監視情報を反復して受信するステップであって、前記第１の監視情報は、前記第１の受信機による視聴覚コンテンツのレンダリングの品質レベルを表す、ステップと、
第２の受信機（４、６、８）から第２の監視情報を反復して受信するステップであって、前記第２の監視情報は、前記第２の受信機による視聴覚コンテンツのレンダリングの品質レベルを表す、ステップと、
前記コントローラ（２）から前記受信機（４、６、８）のうちの少なくとも１つに制御パラメータを送信するステップであって、前記制御パラメータは、前記受信機（４、６、８）のうちの少なくとも１つにおいて前記制御パラメータから前記送信要求のうちの少なくとも１つの送信要求の前記送信パラメータ、または前記受信機（４、６、８）のうちの少なくとも１つの受信機の受信パラメータを定義するために前記第１の監視情報および前記第２の監視情報に依存する、ステップと、
を備える、前記方法。
（付記２）
前記第１の監視情報および前記第２の監視情報のそれぞれは、
前記サーバと前記少なくとも２つの受信機（４、６、８）のうちの１つとの間のデータ伝送ビットレートと、
前記少なくとも２つの受信機（４、６、８）のうちの１つの受信機のデータ受信バッファのサイズと、
前記少なくとも２つの受信機（４、６、８）のうちの１つによる前記視聴覚コンテンツのレンダリングの品質指標と、
所与の時間間隔の間に前記少なくとも２つの受信機（４、６、８）のうちの１つが前記バージョンのうちの１つから前記バージョンのうちの別の１つに切り換わる回数と、
定義された時間間隔の間に少なくとも２つの受信機（４、６、８）のうちの１つによって受信されたバイト数と、
前記視聴覚コンテンツの前記少なくとも２つのバージョンのそれぞれについて、事前定義された時間範囲の間に少なくとも２つの受信機（４、６、８）のうちの１つによって受信されたバイト数と、
を備えるパラメータグループに属する、付記１に記載の方法。
（付記３）
前記制御パラメータは、
前記少なくとも２つの受信機（４、６、８）のうちの１つによって前記サーバ（１）に要求されるビットレートの最大値と、
前記少なくとも２つの受信機（４、６、８）のうちの１つによって前記サーバ（１）に要求される前記バージョンのうちの許容されたバージョンのリストと、
前記少なくとも２つの受信機（４、６、８）のうちの１つの受信機の受信バッファの最大サイズと、
前記少なくとも２つの受信機（４、６、８）のうちの１つによって送られた前記要求内で前記サーバ（１）に示される最高速度係数と、
前記少なくとも２つの受信機（４、６、８）のいずれかの受信機の適応ストリーミングアルゴリズムのパラメータと、
を備えるパラメータグループに属する、付記１または２に記載の方法。
（付記４）
データを受信するための装置（４）であって、前記データは視聴覚コンテンツを表し、前記視聴覚コンテンツは、異なる伝送ビットレートにそれぞれ対応する少なくとも２つのバージョンで入手可能であり、前記視聴覚コンテンツの送信は連続した部分で実行され、前記連続した部分はそれぞれ、前記少なくとも２つの受信機（４、６、８）によって送られた送信要求に応答して、少なくとも２つのバージョンのうちの１つとして選択され、前記送信要求は送信パラメータを備え、前記装置（４）は、
前記装置によって、視聴覚コンテンツのレンダリングの品質を表す監視情報を送るための通信インターフェース（４４）と、
制御パラメータを受信するための通信インターフェース（４４）であって、前記制御パラメータは、前記装置による視聴覚コンテンツのレンダリングの品質を表す前記監視情報に依存する、通信インターフェース（４４）と、
前記受信された制御パラメータから、前記送信要求の前記送信パラメータを計算するためのコンピューティングモジュール（４５）と、
を備える、前記装置。
（付記５）
前記受信された制御パラメータ、および視聴覚コンテンツのレンダリングの品質を表す前記監視情報を格納するためのメモリ（４２）を備える、付記４に記載の装置。
（付記６）
ラップトップ機器である、付記４または５に記載の装置。
（付記７）
セットトップボックスである、付記４または５に記載の装置。
（付記８）
モバイル端末である、付記４または５に記載の装置。
（付記９）
ネットワーク（３）に接続されたサーバ（１）と、前記ネットワーク（３）に接続された少なくとも２つの受信機（４、６、８）との間のデータの伝送レートを制御するための装置（２）であって、前記データは視聴覚コンテンツを表し、前記視聴覚コンテンツは前記サーバ（１）から少なくとも２つのバージョンで入手可能であり、前記バージョンはそれぞれ、異なる伝送ビットレートに対応し、前記サーバ（１）は、前記視聴覚コンテンツを連続した部分で送信するように適応され、前記連続した部分はそれぞれ、前記少なくとも２つの受信機（４、６、８）によって送られた送信要求に応答して、少なくとも２つのバージョンのうちの１つとして選ばれ、前記送信要求は送信パラメータを備え、前記装置は、
第１の受信機（４、６、８）から、前記第１の受信機（４、６、８）による視聴覚コンテンツのレンダリングの品質を表す第１の監視情報を反復して受信するための通信インターフェース（２４）と、
第２の受信機（４、６、８）から、前記第２の受信機（４、６、８）による視聴覚コンテンツのレンダリングの品質を表す第２の監視情報を反復して受信するための通信インターフェース（２４）と、
少なくとも前記反復して受信された第１の監視情報および前記反復して受信された第２の監視情報から制御パラメータを計算するためのコンピューティングモジュール（２５）と、
前記受信機（４、６、８）のうちの少なくとも１つに前記制御パラメータを送信するための通信インターフェース（２４）と、
を備える、前記装置。
（付記１０）
住宅用ゲートウェイ機器内に置かれる、付記９に記載の装置。
（付記１１）
デジタル加入者線アクセス多重化機器内に置かれる、付記９に記載の装置。
（付記１２）
サーバ（１）からデータを受信するための受信機（４、６、８）における方法であって、前記データは視聴覚コンテンツを表し、前記視聴覚コンテンツは、前記サーバ（１）から少なくとも２つのバージョンで入手可能であり、前記バージョンはそれぞれ、異なる伝送ビットレートに対応し、前記サーバ（１）は、前記視聴覚コンテンツを連続した部分で送信するように適応され、前記連続した部分はそれぞれ、前記少なくとも２つの受信機（４、６、８）によって送られた送信要求に応答して少なくとも２つのバージョンのうちの１つとして選択され、前記送信要求は送信パラメータを備え、前記方法は、
前記受信機によって、前記視聴覚コンテンツのレンダリングを表す監視情報をリモートコントローラ（２）に送信するステップと、
前記リモートコントローラ（２）から制御パラメータを受信するステップであって、前記制御パラメータは、前記受信機（４、６、８）による前記視聴覚コンテンツのレンダリングを表す前記監視情報に依存する、ステップと、
少なくとも前記制御パラメータから定義された前記送信パラメータを備える要求を前記サーバ（１）に送信するステップと、
を備える、前記方法。
（付記１３）
制御パラメータを受信する前記ステップは、前記受信機（４、６、８）の少なくとも１つの受信パラメータを更新するステップをさらに備える、付記１２に記載の方法。